(57)【要約】      （修正有）【課題】演奏者にとって良好な音を保ちながらも有効に音量を低減することのできるピアノを提供する。【解決手段】筐体１１の背面側に設けられる支柱２０と、支柱２０に直接または介在部材を介して固定され、フレーム５１に張架された弦５２，５３の有効弦長部分の一端を支持する駒５４，５６とを備える。【選択図】図１
2015079099.tif 000002
【特許請求の範囲】
【請求項１】
筐体の背面側に設けられる支柱と、
前記支柱に直接または介在部材を介して固定され、フレームに張架された弦の有効弦長部分の一端を支持する駒と、
を備えるピアノ。
【請求項２】
前記筐体の前面側に設けられる前板に対して、前記駒または前記介在部材を連結する連結部材をさらに備える
請求項１に記載のピアノ。
【請求項３】
前記駒は、所定の一部音域に対応する弦を支持する
請求項２に記載のピアノ。
【請求項４】
前記筐体の背面において、隣接する支柱の間に形成される開口部分を覆うように背面板が設けられる
請求項１から３のいずれか一項に記載のピアノ。
【請求項５】
音域ごとに応じて複数設けられた駒の各々が異なる支柱に対して固定される
請求項１から４のいずれか一項に記載のピアノ。
【発明の詳細な説明】
【技術分野】
【０００１】
本発明は、ピアノに関する。
【背景技術】
【０００２】
ピアノは、弦の振動を駒から響板に伝達する構造を有しており、弦の振動が響板に伝達されることで豊かな音量が得られるようになっている。
しかし、例えば集合住宅や住宅が密集しているような環境では、ピアノの音量が大きすぎてしまうような場合がある。そこで、響板と駒との間の振動伝達部材の連結を解除することにより、ピアノの音量の調節を行えるようにしたピアノが知られている（例えば、特許文献１参照）。
【先行技術文献】
【特許文献】
【０００３】
【特許文献１】特許第３７４０６１２号公報
【発明の概要】
【発明が解決しようとする課題】
【０００４】
特許文献１のピアノでは、響板と駒とを直接接触させないようにするにあたり、駒がフレームに取り付けられた構造となっている。具体的には、特許文献１の駒は、上下方向に移動しないように駒留めによって留められたうえで、駒と駒留めとの間には防振材が設けられている。
しかし、弦の張力は非常に強いことから、上記のような態様によるフレームへの取り付けでは、例えば防振材が有する弾性により駒が微妙に動いてしまうなど、駒を安定的に固定することは難しいと考えられる。このために、特許文献１の構造の下では、駒の動きをなくすために、例えば、弦の張力を弱くするなどの対策が必要になると考えられるが、弦の張力を弱めることによっては、音の減衰が早くなってしまう。この場合、演奏者は、例えば音の伸びが少ないと感じ、この結果、演奏感が損なわれるような場合がある。
【０００５】
本発明は、このような事情に鑑みてなされたもので、演奏者にとって良好な音を保ちながらも有効に音量を低減することのできるピアノを提供することを目的とする。
【課題を解決するための手段】
【０００６】
上述した課題を解決するために、本発明の一態様としてのピアノは、筐体の背面側に設けられる支柱と、前記支柱に直接または介在部材を介して固定され、フレームに張架された弦の有効弦長部分の一端を支持する駒とを備える。
上記構成によれば、支柱に対して駒が固定されることで、響板を備えないピアノとして、駒を高い強度で固定することができる。
【０００７】
上記のピアノにおいて、前記筐体の前面側に設けられる前板に対して、前記駒または前記介在部材を連結する連結部材をさらに備えてもよい。
上記構成によれば、弦の振動を駒から連結部材を介して前板に伝達することにより、駒に伝達された弦の振動に対応する音を増強させることができる。
【０００８】
上記のピアノにおいて、前記駒は、所定の一部音域に対応する弦を支持するものであってもよい。
上記構成によれば、低音域に対応する弦の振動が駒から連結部材を介して前板に伝達されるため、低音域を増強させて音域バランスを改善することが可能になる。
【０００９】
上記のピアノにおいて、前記筐体の背面において、隣接する支柱の間に形成される開口部分を覆うように背面板が設けられてもよい。
上記構成によれば、ピアノの背面から放出される音量を低減することができる。
【００１０】
上記のピアノにおいて、音域ごとに応じて複数設けられた駒の各々が異なる支柱に対して固定されてもよい。
上記構成によれば、駒から伝達される振動に対応する音域が支柱ごとに分離され、支柱は伝達された音域に応じて振動するために、駒ごとに応じた音域の音量の増強効果が得られる。
【発明の効果】
【００１１】
以上説明したように、本発明によれば、奏者にとって良好な音を保ちながらも有効に音量を低減することのできるピアノを提供することが可能になる。
【図面の簡単な説明】
【００１２】
【図１】第１実施形態におけるピアノの側面を断面により示す断面図である。
【図２】第１実施形態におけるピアノの背面図である。
【図３】第１実施形態において、駒と支柱との間にスペーサー部材を設けた構成例を側面より示す断面図である。
【図４】第１実施形態において、支柱に形成した突出部に駒を固定させた構成例を側面方向から示す断面図である。
【図５】第２実施形態におけるピアノの側面を断面により示す断面図である。
【図６】第２実施形態におけるピアノの背面図である。
【図７】第３実施形態におけるピアノの側面を断面により示す断面図である。
【図８】第４実施形態におけるピアノの側面を断面により示す断面図である。
【図９】第５実施形態におけるピアノの側面を断面により示す断面図である。
【図１０】第６実施形態におけるピアノの背面図である。
【図１１】第７実施形態におけるピアノの背面図である。
【図１２】第８実施形態におけるピアノの側面を断面により示す断面図である。
【図１３】第８実施形態におけるピアノの背面図である。
【発明を実施するための形態】
【００１３】
＜第１実施形態＞
図１及び図２を参照して、第１実施形態におけるピアノ１０の構成例について説明する。図１は、第１実施形態のピアノの側面を断面により示す断面図であり、図２は、第１実施形態のピアノの背面図である。同図に示されるピアノ１０は、アップライトピアノである。
【００１４】
ピアノ１０の筐体１１は、上前板１２−１、下前板１２−２、背面上桁１３、背面下桁１４、親板１５−１、１５−２、屋根前１６、屋根後１７、底板１８及び支柱２０−１〜２０−６を備える。図１では、支柱２０−１から２０−６のうちの１つの支柱が支柱２０として図示されている。
【００１５】
上前板１２−１は、筐体１１の前面側において、屋根前１６と上框３４との間に設けられる。下前板１２−２は、筐体１１の前面側において、棚板３３と底板１８との間に設けられる。
背面上桁１３は、筐体１１の背面の上側において親板１５−１と親板１５−２の間に水平方向に掛け渡されるように設けられる。背面下桁１４は、筐体１１の背面の下側において親板１５−１と親板１５−２の間に掛け渡されるように設けられる。
ピアノ１０の一方の側面には親板１５−１が設けられ、他方の側面には親板１５−２が設けられる。
【００１６】
また、筐体１０の上端においては、前側に屋根前１６が設けられ、後ろ側に屋根後１７が設けられる。屋根前１６と屋根後１７により筐体１０の上端（上面側）が覆われる。また、図示は省略しているが、屋根前１６と屋根後１７は、屋根ヒンジによって連結されている。これにより、屋根ヒンジによる連結部分を中心として屋根前１６の前側を引き上げるようにして屋根前１６を開くことができる。屋根前１６を開くことにより、例えば屋根前１６を閉じた状態のときよりも豊かな音の響きが得られる。
底板１８は、図示するように筐体１１の下端部（底面側）において設けられる。
【００１７】
支柱２０−１〜２０−６は、筐体１１の背面において、例えば図示するように、背面上桁１３、背面下桁１４との間において垂直方向に架設される。本実施形態における支柱２０−１〜２０−６は、弦の張力に対して筐体１１を支える機能や、駒５４、５６を固定する機能などを有する。
なお、以降において支柱２０−１〜２０−６について特に区別しない場合には、支柱２０と記載する。
また、同図においては、６本の支柱２０−１〜２０−６を設けた例が示されているが、支柱２０の数については特に限定されない。
【００１８】
また、筐体１１の底板１８前面側の左右両側にはそれぞれ妻土台３１が設けられる。妻土台３１と棚板３３との間には脚柱３２が架設される。
【００１９】
棚板３３の上面側には所定数（例えば８８個）の鍵４１が水平方向に並べられて設けられる。鍵４１の各々は、棚板３３の上面部に設けられた筬中４２、筬前４３、筬後４４によって支持される。
【００２０】
鍵４１の上側には、上框３４が設けられ、上框３４の手前側に鍵盤蓋３５が設けられる。鍵盤蓋３５は、水平方向の一端が上框３４とヒンジで連結されていることで、開閉が可能なようになっている。同図では、鍵盤蓋３５が開いた状態を示している。
【００２１】
筐体１１の内部においてはフレーム５１が設けられる。フレーム５１に対しては、鍵４１ごとに対応する弦５２、５３が張設される。ここで、弦５２は、ピアノ１０の全音域における一部音域のうちの低音域に対応する所定数の弦である。つまり、弦５２は、低音域の範囲に含まれる所定数の鍵４１ごとに対応して設けられる弦である。
また、弦５３は、中高音域に対応する所定数の弦である。つまり、弦５３は、中高音域の範囲に含まれる所定数の鍵４１ごとに対応して設けられる弦である。
【００２２】
本実施形態においては、低音域に対応する駒５４（短駒）と高音位置に対応する駒５６（長駒）との２つの駒が設けられる。
駒５４は、図２に示すように、背面方向からみて支柱２０−４、２０−５と重なる部位が支柱２０−４、２０−５に対して当接し、これらの当接した部位の各々にて支柱２０−４、２０−５に対して固定される。
また、駒５６も、図２に示すように、背面方向からみて支柱２０−３、２０−４、２０−５、２０−６と重なる部位が支柱２０−３、２０−４、２０−５、２０−６に対して当接し、固定される。
【００２３】
なお、駒５４、駒５６を支柱２０に対して固定するための手法については特に限定されない。例えば、駒５４、駒５６は接着剤や釘などによって支柱２０に固定されてもよい。接着剤を用いる場合、例えば振動の伝達をできるだけ損なわないことを考慮して接着剤の種類を選定することが好ましい。
また、駒５４、駒５６はネジ部品あるいはボルト、ナットなどによって支柱２０に固定されてもよい。
また、駒５４、駒５６は、ほぞ組みなどによる木工的な連結技術により固定されてもよい。
【００２４】
駒５４には弦５２ごとに対応する駒釘５５が設けられている。駒５４は、上記のように支柱２０−４、２０−５に固定された状態で、弦５２のそれぞれの有効弦長部分の一端側を駒釘５５にて支持する。
駒５６には弦５３ごとに対応する駒釘５７が設けられている。駒５６は、上記のように支柱２０−３、２０−４、２０−５に固定された状態で、弦５３のそれぞれの有効弦長部分の一端側を駒釘５７にて支持する。駒５６は、駒５４よりも上方の位置に設けられている。
なお、図示は省略しているが、弦５２、弦５３それぞれの有効弦長部分の他端側は、例えばフレーム５１に設けられたベアリング、アグラフなどによって支持される。
【００２５】
また、鍵４１の後端部の上側には、アクション機構６０とダンパ機構７０が設けられる。
アクション機構６０はハンマー６１を備え、演奏者の手指が対応の鍵４１を押した力を、ハンマー６１が対応の弦５２を打撃する力に変換する機構である。
ダンパ機構７０は、演奏者がペダル８１を踏み込むのに応じて、ダンパ７１を対応の弦５２に接触していた状態から離間した状態に遷移させるための機構である。
【００２６】
これまでの説明から理解されるように、本実施形態のピアノ１０は響板を備えない。響板は、背景技術にて説明しているように、ピアノには通常備えられているものである。しかし、本実施形態では、響板を備えないことにより、弦５２、５３の振動によって響板が振動することがないために、弦の振動に応じて発生する音を十分に小さくすることができる。
【００２７】
ここで、響板を備えるピアノの場合、駒は響板に対して固定されるが、本実施形態のピアノ１０においては、上記のように響板が備えられていない。そこで、本実施形態における駒５４、５６は、前述のように、支柱２０に対して固定される。
支柱２０は、それぞれ、弦の張力に対して筐体１１を支えるために、例えば一定以上の太さを有しており、高い強度を有する。したがって、駒５４、５６も支柱２０に対して高い強度で固定することが可能である。これにより、駒５４、５６は、弦５２、弦５３の振動に対しても移動するようなことがなく、安定して固定された状態が維持される。
このために、本実施形態においては、弦５２、弦５３に対して十分な張力を与えることが可能となるために、例えば、打弦により発生した弦の振動は長く保たれ、十分な響き、余韻のある良質な音を得ることができ、演奏感が損なわれるようなことがない。
【００２８】
また、上記のように響板を備えていないことにより、ピアノ１０における弦５２、弦５３の振動は、主に駒５４、駒５６から支柱２０を介して筐体１１に伝達される。この場合において、駒５４、駒５６、支柱２０はいずれも木材である。つまり、本実施形態のピアノ１０において、弦５２、弦５３の振動は木材を介して筐体１１に伝達される。このように、駒５４、駒５６から支柱２０を介して筐体１１に弦の振動を伝達する経路は木材のみにより形成されるため、伝達された振動に応じて筐体１１から発生する音としては、既存のピアノに近いものとすることができる。
これに対して、例えば駒をフレームに取り付けるような構成の場合、弦の振動は駒からフレームを介して筐体に伝達される。つまり、この場合の駒から筐体までの弦の振動の伝達経路には金属が介在するために、金属の影響による音の変化が生じてしまう。
【００２９】
なお、ピアノ１０の構造上、駒５４または駒５６と支柱２０との配置位置の関係によっては、駒５４または駒５６と支柱２０との間が離間してしまうような場合もある。
このような場合には、例えば図３または図４に示すような構成とすればよい。図３、図４は、それぞれ、ピアノ１０を側面側からみた駒５４近傍の断面図である。
図３には、駒５４と支柱２０との間にスペーサー部材（介在部材の一例）２１を介在させるように設け、スペーサー部材２１に対して駒５４と支柱２０とを固定するようにした構成が示されている。つまり、スペーサー部材２１を介して間接的に駒５４と支柱２０とを固定してもよい。なお、スペーサー部材２１の材質としては木材が好ましい。
また、スペーサー部材２１と駒５４との接合及びスペーサー部材２１と支柱２０との接合については、例えば前述の駒５４、５６と支柱２０とを固定する手法のうちのいずれかによって行うようにすればよい。
また、図４に示すように、駒５４を固定すべき支柱２０の部位について、駒５４まで突出させた突出部２０ａを形成してもよい
図３及び図４においては、駒５４と支柱２０とを固定する態様について示しているが、駒５６についても、図３または図４に示した態様によって支柱２０と固定することができる。
【００３０】
＜第２実施形態＞
続いて、図５及び図６を参照して、第２実施形態におけるピアノ１０Ａについて説明する。図５は、第２実施形態のピアノ１０Ａの側面を断面により示す断面図であり、図６は、第２実施形態のピアノ１０Ａの背面図である。なお、図５及び図６において、図１及び図２と同一部分には同一符号を付して説明を省略する。
【００３１】
先に説明した第１実施形態のピアノ１０は、響板を備えないことで、弦の振動に応じてピアノから発せられる音量が低減される。ただし、響板は低音域の増強に大きく寄与している。このため、響板が無いことにより相対的に中高音域よりも低音域の減衰が速くなることで低音域の音量が極端に減少するように聞こえ、音域バランスに影響を与える場合がある。
【００３２】
そこで、第２実施形態のピアノ１０Ａは、図５及び図６に示すように、筐体１１の内部において、下前板１２−２に対して、低音域に対応する駒５４を連結部材９１によって連結するように構成される。
連結部材９１の一端は、駒５４の前側の面の任意の位置に固定されればよく、また、連結部材９１の他端は、下前板１２−２の背面における任意の位置に固定されればよい。図５においては、連結部材９１が略水平な状態とされ、下前板１２−２の背面側の主面に対して略垂直に取り付けられた例を示している。
このように駒５４と下前板１２−２とを連結部材９１によって連結することで駒５４の振動が下前板１２−２に有効に伝達され、下前板１２−２は、低音域の弦５２の振動に応じて強く振動する。これにより、低音域の音量が増強され、音域バランスを良好に保つことができる。
【００３３】
また、駒５４と下前板１２−２とを連結する連結部材９１は物理的に或る一定長を有する。つまり、駒５４から下前板１２−２への振動の伝達は物理的に比較的長い伝達経路を経由して行われることから、連結部材９１においてエネルギー損失が生じる。このために、下前板１２−２によって低音域が過剰に増強されるようなことはない。つまり、第２実施形態によっては、音域バランスを保ちながらも、響板を使用しないことによる音量低減効果が十分に得られる。
また、下前板１２−２は、ピアノ１０Ａにおける前面側、すなわち、演奏者に近い側に配置されている。このために、演奏者は、下前板１２−２の振動に応じて発生する音を近くで聴くことができる。このために、音域バランスを保つにあたり、下前板１２−２による低音域を増加させる度合いはさほど大きくする必要が無い。このような点も、音量バランスの向上と音量低減効果との両立に大きく寄与している。
第２実施形態においては、下前板１２−２の厚さや木材の選定、また、連結部材９１の太さや木材の選定などにより、伝達された振動に応じた下前板１２−２の振動の度合いを調整し、適切な音域バランスを設定することができる。一例として、下前板１２−２について、ピアノの響板として一般に用いられるスプルース材などとすれば、響板を備える通常のピアノに近い音色を得ることができる。
【００３４】
なお、図６によれば、連結部材９１は、背面方向からみて駒５４の左端に対応する位置に設けられているが、駒５４において連結部材９１が設けられる位置については特に限定されない。
また、図６によれば、背面方向からみた連結部材９１の断面形状が長方形となっている例が示されている。しかし、駒５４が受けた弦５２の振動を下前板１２−２に伝達できるのであれば、連結部材９１の断面形状については、正方形、円形、楕円形など特に限定されない。
【００３５】
また、第２実施形態において、図３に示したようにスペーサー部材２１を介在させて駒５４と支柱２０とが固定されている場合には、駒５４に代えてスペーサー部材２１に連結部材９１を固定するようにしてもよい。連結部材９１をスペーサー部材２１に固定した場合には、連結部材９１を駒５４に固定する場合よりも、連結部材９１の取り付け箇所の自由度が高くなるという利点が得られる。
【００３６】
また、連結部材９１の材質としては、木材が好ましい１つの例であるが、例えば金属などをはじめとする他の材料が選定されてもよい。
【００３７】
また、連結部材９１を駒５４と下前板１２−２に固定するための手法についても特に限定されるものではない。つまり、このような手法としては、前述の駒５４、駒５６と支柱２０のように、接着剤、ネジ部品、ボルト及びナット、釘、木工的な連結技術（ほぞ組など）などのうちから適切なものが採用されればよい。
なお、低音域に対応する駒５４に代えて、中高音域に対応する駒５６と下前板１２−２とを連結部材９１により連結しても良い。
【００３８】
＜第３実施形態＞
続いて、図７を参照して第３実施形態について説明する。図７は、第３実施形態のピアノ１０Ｂの側面を断面により示す断面図である。同図において、図５と同一部分には同一符号を付して説明を省略する。
図７に示すように、第３実施形態のピアノ１０Ｂは、低音域に対応する駒５４と上前板１２−１とを連結部材９１Ａにより連結して構成される。
なお、同図に示す連結部材９１Ａの形状は、あくまでも連結部材９１Ａによって駒５４と上前板１２−１とが物理的に連結されていることを模式的に示すものである。連結部材９１Ａの具体的形状については、筐体１１の内部における棚板３３、鍵４１、アクション機構６０、ダンパ機構７０などと接触しないように形成すればよい。
このような第３実施形態の構成によっても、第２実施形態と同様の効果が得られる。
なお、低音域に対応する駒５４に代えて、中高音域に対応する駒５６と上前板１２−１とを連結部材９１Ａにより連結しても良い。
【００３９】
＜第４実施形態＞
続いて、図８を参照して第４実施形態について説明する。図８は、第４実施形態のピアノ１０Ｃの側面を断面により示す断面図である。同図において、図５、図７と同一部分には同一符号を付して説明を省略する。
第４実施形態のピアノ１０Ｃにおいて、駒５４は、連結部材９１によって下前板１２−２と連結されるとともに、連結部材９１Ａによって上前板１２−１と連結されるように構成される。
このような構成は、例えば上前板１２−１と下前板１２−２のいずれか一方の前板のみではなく、他方の前板も併用して十分な低音の増強効果を得たいような場合に有効である。
【００４０】
＜第５実施形態＞
続いて、図９を参照して第５実施形態について説明する。図９は、第５実施形態のピアノ１０Ｄの側面を断面により示す断面図である。同図において、図５と同一部分には同一符号を付して説明を省略する。
図９に示すピアノ１０Ｄは、低音域に対応する駒５４を連結部材９１により下前板１２−２と連結し、中高音域に対応する駒５６を連結部材９２により上前板１２−１と連結して構成される。
上記の構成により、下前板１２−２においては低音域の音が増強される。また、上前板１２−１においては、中高音域に対応する弦５３の振動に応じた振動が発生するために、中高音域の音が増強される。このような第５実施形態の構成は、例えば音域バランスなどの点で、低音域だけではなく、中高音域についても増強したいような場合に有効である。
【００４１】
なお、図示は省略するが、第５実施形態の変形例として、駒５４を連結部材により上前板１２−１と連結し、駒５６を連結部材により下前板１２−２と連結して構成してもよい。
【００４２】
＜第６実施形態＞
続いて、図１０を参照して第６実施形態について説明する。図１０は、第６実施形態におけるピアノ１０Ｅの背面図である。同図において、図６と同一部分には同一符号を付して説明を省略する。
図１０に示すピアノ１０Ｅの筐体１１の背面においては、８本の支柱２０−１〜２０−８が設けられている。
そのうえで、低音域に対応する駒５４は、８本の支柱２０−１〜２０−８のうち、ピアノ１０Ｅの中央よりの２本の支柱２０−５、２０−６に対して固定される。つまり、駒５４は、支柱２０−５と支柱２０−６とに対して当接されたうえで、支柱２０−５と当接する当接面Ｓ５にて支柱２０−５に対して固定されるとともに、支柱２０−６と当接する当接面Ｓ６にて支柱２０−６に対して固定される。
【００４３】
一方、中高音域に対応する駒５６は、６本の支柱２０−１〜２０−６のうち、支柱２０−５よりも左側の２本の支柱２０−３、２０−４と、支柱２０−６よりも右側の２本の支柱２０−７、２０−８に対して固定される。
つまり、駒５６は、支柱２０−３、２０−４、２０−７、２０−８と当接するが、中央の支柱２０−５、２０−６とは当接せずに離間している。そのうえで、駒５６は、支柱２０−３、２０−４、２０−６、２０−７のそれぞれとの当接面Ｓ３、Ｓ４、Ｓ７、Ｓ８にて当接した状態で固定される。
この場合、駒５６は、支柱２０−５、２０−６に対しては固定されないものの、支柱２０−３、２０−４、２０−７、２０−８のそれぞれにおける４箇所の当接面Ｓ３、Ｓ４、Ｓ７、Ｓ８により固定されている。このため、駒５６は十分な強度で固定されており、弦５３の振動により移動したりずれたりするようなことはない。
【００４４】
なお、駒５６について、上記のように支柱２０−３、２０−４には当接させないようにする一方で、支柱２０−３、２０−４、２０−６、２０−７と当接させるようにするには、先に図３にて説明したように、駒５６と支柱２０−３、２０−４、２０−７、２０−８との間にスペーサー部材２１を設ければよい。これにより、スペーサー部材２１の高さに応じて、駒５６と支柱２０−３、２０−４のそれぞれとが離間する状態となる。
あるいは、図４にて説明したように、駒５６と当接させるべき支柱２０−３、２０−４、２０−７、２０−８の部位を駒５６側に突出させた形状に形成してもよい。
また、支柱２０の強度に支障がなければ、支柱２０−５、２０−６において駒５６と対向する部位について、駒５６と当接しないように切削した形状としてもよい。
【００４５】
図１０に示した駒５４、駒５６の固定の態様によると、駒５４と駒５６とでは、固定される支柱２０が互いに異なるように構成されている。このような構成により、低音域の弦５２の振動と中高音域の弦５３の振動とが同じ支柱２０により伝達されることがなく、低音域の弦５２の振動と中高音域の弦５３の振動は、それぞれが異なる支柱２０により伝達される。これにより、支柱２０ごとに伝達される振動の音域が分離され、各支柱２０は伝達された音域に応じて振動する。駒５４と駒５６ごとに応じた音域の音量の増強効果を得ることができる。
【００４６】
＜第７実施形態＞
続いて、図１１を参照して第７実施形態について説明する。図１１は、第７実施形態におけるピアノ１０Ｆの背面図である。同図において、図６と同一部分には同一符号を付して説明を省略する。
図１１に示すピアノ１０Ｆにおいては、図６などに示されていた中高音域対応の駒５６が２つの駒５６−１、５６−２に分割されている。駒５６−１は高音域に対応する弦を支持し、駒５６−２は中音域に対応する弦を支持する。
駒５６−１は、背面方向において支柱２０−３、２０−４と重なる部位の各々が支柱２０−３、２０−４に対して当接されており、これらの当接された部位の各々が支柱２０−３、２０−４に対して固定される。
駒５６−１は、背面方向において支柱２０−５、２０−６と重なる部位の各々が支柱２０−５、２０−６に対して当接されており、これらの当接された部位の各々が支柱２０−５、２０−６に対して固定される。
【００４７】
そのうえで、図８のピアノ１０Ｆにおいては、第２実施形態と同様に駒５４と下前板１２−２とが連結部材９１により連結されたうえで、さらに、駒５６−２と下前板１２−２とが連結部材９３により連結されている。
【００４８】
このような構成を有することにより、第７実施形態のピアノ１０Ｆは、響板を備えないことによる音量の低減を有効に図ったうえで、低音域と中音域とを増強させて音域バランスを改善することができる。
【００４９】
なお、第７実施形態においては、例えば、駒５６−２と上前板１２−１とを連結部材９３により連結するように構成してもよい。
また、駒５６−２に代えて、駒５６−１を、上前板１２−１あるいは下前板１２−２に対して連結部材により連結してもよい。また、駒５６−１と駒５６−２の両者を連結部材によって上前板１２−１あるいは下前板１２−２に連結してもよい。
【００５０】
＜第８実施形態＞
続いて、図１２及び図１３を参照して第８実施形態について説明する。図１２は、第８実施形態のピアノ１０Ｈの側面を断面により示す断面図であり、図１３は、第８実施形態のピアノ１０Ｈの背面図である。なお、図１２及び図１３において、図１及び図２、図５及び図６などと同一部分には同一符号を付して説明を省略する。
【００５１】
第８実施形態においては、ピアノ１０Ｈの背面において、背面上桁１３と背面下桁１４との間、及び、親板１５−１と親板１５−２との間にわたって背面板１０１が設けられる。つまり、背面板１０１は、隣接する支柱２０の間に形成される開口部分を覆うように設けられる。
背面板１０１を設けない場合、ピアノ１０Ｈの筐体１１の背面において隣接する支柱２０の間の開口が開放されており、筐体１１の内部が外側に通じたままの状態である。このように筐体１１の背面が広く開放された状態では、打鍵により生じた音が背面側にも放出されることになる。
そこで、第８実施形態においては、上記のようにピアノ１０Ｈの背面に背面板１０１を設けるようにしている。これにより、筐体１１の背面から放出される音が低減され、ピアノ１０Ｈの前側で演奏する演奏者側に向けて主に音が発せられるようにすることができる。
さらに、背面板１０１を取り付けることによっては、ギターのようないわゆる「箱鳴り」と呼ばれる音響効果が得られるので、演奏者にとってより好ましい音質にもなる。
【００５２】
なお、背面板１０１は、支柱２０のそれぞれと接触しないように設けることが好ましい。背面板１０１を支柱２０と接触しないようにすることで、背面板１０１が支柱２０から伝達された弦の振動によって振動してしまうことによる不要な音の発生を抑えることができる。
【符号の説明】
【００５３】
１０…ピアノ、１１…筐体、１２−１…上前板、１２−２…下前板、２０…支柱、  ４１…鍵、５１…フレーム、５２，５３…弦、５４，５６…駒
【図１】
2015079099.tif 000003
【図２】
2015079099.tif 000004
【図３】
2015079099.tif 000005
【図４】
2015079099.tif 000006
【図５】
2015079099.tif 000007
【図６】
2015079099.tif 000008
【図７】
2015079099.tif 000009
【図８】
2015079099.tif 000010
【図９】
2015079099.tif 000011
【図１０】
2015079099.tif 000012
【図１１】
2015079099.tif 000013
【図１２】
2015079099.tif 000014
【図１３】
2015079099.tif 000015